(57)【特許請求の範囲】
【請求項１】
棚板の上方に鍵盤を有すると共に、楽音発生のための電子部品を有する電子鍵盤楽器において、
前記棚板の下方において該棚板に対して固定的に取り付けられた支持部材と、
前記支持部材に設けられた移動ガイド部と、
前記棚板の下方に設けられたスピーカボックスと、
前記電子部品を搭載した部品保持棚とを有し、
前記部品保持棚が、前記移動ガイド部にガイドされて楽器本体外側方向及び楽器本体内側方向に出し入れ可能で、且つ前記部品保持棚を前記楽器本体内側方向に入れたとき、前記部品保持棚が前記移動ガイド部によって前記棚板の下方において収納保持され得るように構成され、
前記スピーカボックスを構成する部材の少なくとも一部を前記支持部材として利用したことを特徴とする電子鍵盤楽器。
【発明の詳細な説明】
【０００１】
【発明の属する技術の分野】
本発明は、鍵盤と、楽音発生のための電子部品とを有する電子鍵盤楽器に関する。
【０００２】
【従来の技術】
電子鍵盤楽器には一般に、演奏のための鍵盤や、楽音を発生するための種々の電子部品が備えられている。従来、電子鍵盤楽器に用いられる電子部品は多数であり、これらをレイアウトする際の自由度は小さく、その多くは、例えば、鍵盤部近傍に相当のスペースを割いて配設されていた。しかも、電子部品が配設されるスペースは一箇所でなく複数箇所に散在することも少なくなかった。
【０００３】
そのため、構成が複雑となり、電子部品を組み付ける作業は繁雑であった。また、保守・点検時においても、目的とする電子部品を探し、作業を行う上で、カバーや他の部品を複数取り外さなければならないことがあり、迅速な保守・点検を行うのが困難な場合があった。
【０００４】
【発明が解決しようとする課題】
ところが、近年、技術の進歩により、電子鍵盤楽器に搭載される電子部品の数が少なくなり、またサイズも縮小化してきたことから、楽器全体としてのデザインを考慮した電子部品の自由なレイアウトを行える可能性も大きくなってきた。従って、電子部品に関し、組み付け、保守・点検を容易にする上においても、改善の余地が生じてきた。
【０００５】
本発明は上記従来技術の問題を解決するためになされたものであり、その目的は、電子部品の組み付け、保守・点検を容易にすることができる電子鍵盤楽器を提供することにある。
【０００６】
【課題を解決するための手段】
上記目的を達成するために本発明の請求項１の電子鍵盤楽器は、棚板の上方に鍵盤を有すると共に、楽音発生のための電子部品を有する電子鍵盤楽器において、前記棚板の下方において該棚板に対して固定的に取り付けられた支持部材と、前記支持部材に設けられた移動ガイド部と、前記棚板の下方に設けられたスピーカボックスと、前記電子部品を搭載した部品保持棚とを有し、前記部品保持棚が、前記移動ガイド部にガイドされて楽器本体外側方向及び楽器本体内側方向に出し入れ可能で、且つ前記部品保持棚を前記楽器本体内側方向に入れたとき、前記部品保持棚が前記移動ガイド部によって前記棚板の下方において収納保持され得るように構成され、前記スピーカボックスを構成する部材の少なくとも一部を前記支持部材として利用したことを特徴とする。
【０００７】
この構成により、楽音発生のための電子部品を搭載した部品保持棚が、棚板の下面に対して固定的に取り付けられた支持部材に設けられた移動ガイド部にガイドされて、楽器本体外側方向及び楽器本体内側方向に出し入れ可能にされる。また、前記部品保持棚を前記楽器本体内側方向に入れたとき、前記部品保持棚が前記移動ガイド部によって前記棚板の下方において収納保持され得る。従って、例えば、電子部品を組み付ける際は、電子部品を部品保持棚に集中的に搭載し、部品保持棚を移動ガイド部によるガイドによって楽器本体内側方向に入れることで、組み付けが簡単に行える。また、部品保持棚を楽器本体内側方向に入れた状態では、部品保持棚が棚板下方に収納保持されているので、楽器の使用（演奏）が支障なく行えると共に、楽器全体としてコンパクトにすることができる。さらに、電子部品の保守・点検の際は、部品保持棚ごと移動ガイド部によるガイドによって楽器本体外側方向に出すことで、目的とする電子部品を容易に探し、必要な交換作業等を行った上で、再度、部品保持棚ごと移動ガイド部によるガイドによって楽器本体内側方向に入れればよいので、カバー類や他の部品を多数取り外す等の作業から解放され、迅速な保守・点検が行える。よって、電子部品の組み付け、保守・点検を容易にすることができる。また、スピーカボックスを構成する部材の少なくとも一部が前記支持部材を兼ねるので、構成を簡単にすることができる。
【０００９】
【発明の実施の形態】
以下、本発明の実施の形態を図面を参照して説明する。
【００１０】
図１は、本発明の一実施の形態に係る電子鍵盤楽器の正面図である。同図では、後述する蓋体１６は開蓋状態、カバー８６は取り外された状態となっている。図２は、本電子鍵盤楽器を右方からみた側面図である。以下、楽器からみて演奏者側を前方と称する。
【００１１】
本電子鍵盤楽器の本体は、鍵盤部１０と、鍵盤部１０の下方に配設された左右一対のスピーカボックス４０（４０Ｌ、４０Ｒ）と、電子部品ボックスＥＣＢとから構成され、本楽器本体は、鍵盤部１０を介して左右の脚部２２により支持される。本電子鍵盤楽器はさらに、制御ペダルボックス３２を有する。
【００１２】
鍵盤部１０の左右両端部には、側板１４が設けられる。鍵盤部１０の前部には、両側板１４間に亘る長さの口棒部１２が設けられている。鍵盤部１０の後部には、背面板２３（図２参照）が設けられている。鍵盤部１０の底部には、棚板１１（図２参照）が設けられる。棚板１１は、両側板１４間に亘る横幅で、口棒部１２から背面板２３近傍に亘る前後方向の長さに形成されている。
【００１３】
図１に示すように、鍵盤１３は、複数の鍵から成り、棚板１１の上に配設される。蓋体１６は、左右両側板１４の各内側面にそれぞれ設けた山板１５にガイドされて前後方向にスライド可能に構成されている。蓋体１６の全閉位置は、上記口棒部１２によって規定される。鍵盤１３の後部上方には、表示部１８が設けられ、表示部１８の左右には、操作パネル１９（１９Ａ、１９Ｂ）が設けられている。操作パネル１９には、音量、音色の調整や特殊効果用等の各種操作子が設けられる（図示せず）。鍵盤部１０の上部には、天板１７が設けられている。天板１７は、楽器本体全幅に亘る長さに構成され、両側板１４及び背面板２３の上に固定されている。天板１７の上面には、譜面板２０及び譜面受け２１が設けられている。
【００１４】
鍵盤部１０は、左右両端部下部にて、左右の脚部２２により支持される。また、鍵盤部１０には、２本のペダル支柱３１（３１Ｌ、３１Ｒ）が設けられている。両ペダル支柱３１は、鍵盤部１０の後部であって左右方向の略中央から下方に垂設され、両ペダル支柱３１Ｌ、３１Ｒ間の下部には、制御ペダルボックス３２が設けられている。制御ペダルボックス３２には、ダンパペダル３３Ａ、ソステヌートペダル３３Ｂ及びソフトペダル３３Ｃが設けられている。
【００１５】
スピーカボックス４０は、楽音をステレオで発生するために、左右一対設けられている（スピーカボックス４０Ｌ、４０Ｒ）。各スピーカボックス４０の筐体は樹脂等で形成されて箱状を呈し、その前板４６を除き一体に形成されている。各スピーカボックス４０は、箱の天板に相当する部分が鍵盤部１０の棚板１１の下面１１ａ（図２参照）に固定されている。従って、左側のスピーカボックス４０Ｌの右側板４５Ｌ（支持部材）と右側のスピーカボックス４０Ｒの左側板４５Ｒ（支持部材）とは、いずれも棚板１１の下面１１ａに対して固定的となっている。なお、スピーカボックス４０の筐体は一体に形成されていなくてもよく、例えば、天板と両側板４５Ｌ、４５Ｒが別体に形成され互いに固定されるようにしてもよい。その場合でも、両側板４５Ｌ、４５Ｒは、棚板１１の下面１１ａに対して固定的であればよく、下面１１ａに天板を介して固定されるように構成してもよいし、直接固定されるように構成してもよい。
【００１６】
電子部品ボックスＥＣＢは、左右のスピーカボックス４０Ｌ、４０Ｒ間に挟持されるように、且つペダル支柱３１の前方に配設される。後述するように、電子部品ボックスＥＣＢは、スピーカボックス４０Ｌ、４０Ｒの両側板４５Ｌ、４５Ｒの間隙において、両側板４５Ｌ、４５Ｒを構成要素の一部として構成される。従って、電子部品ボックスＥＣＢの縦断面形状は、スピーカボックス４０の縦断面と同じである（図２、４、５参照）。
【００１７】
図１に示すように、左側のスピーカボックス４０Ｌの正面にみえる前板４６には、大、小のスピーカ４１、４２が設けられるほか、カバー８６の取り付け用として、固定穴４３及びマジックテープ４４が設けられている。右側のスピーカボックス４０Ｒはこれと左右対称であるが同様に構成される。
【００１８】
カバー８６は、サランネットで成り、左右のスピーカボックス４０Ｌ、４０Ｒ及び電子部品ボックスＥＣＢに共通のカバーとして構成される。カバー８６を取り付けたとき、左右のスピーカボックス４０Ｌ、４０Ｒ及び電子部品ボックスＥＣＢの各正面が同時に隠れ、これらが一体ものであるかのように視認されるように、デザイン上の工夫がなされている。
【００１９】
図３は、電子部品ボックスＥＣＢ近傍の正面図である。図４は、図３のＡ−Ａ線に沿う部分縦断面図、図５は、図３のＢ−Ｂ線に沿う部分縦断面図である。
【００２０】
図４に示すように、電子部品ボックスＥＣＢの筐体は、天板８３、背面板８４、底板８５、及びスピーカボックス４０Ｌ、４０Ｒの両側板４５Ｌ、４５Ｒ等で形成され、天板８３が棚板１１の下面１１ａに固着されている。後述するように、この筐体に対して、上段ユニット５０（部品保持棚）及び下段ユニット７０（部品保持棚）がタンスの引き出しのように前後方向に出し入れ可能に構成される。天板８３、背面板８４、底板８５は、樹脂や木で構成される。
【００２１】
上段ユニット５０は、平板状の上段プレート５１と前板５２とが、Ｌ字金具５５で連結されて構成される。下段ユニット７０も同様に、平板状の上段プレート７１と前板７２とが、Ｌ字金具７５で連結されて構成される。なお、図示は省略するが、各ユニット５０、７０の強度保持の点から、Ｌ字金具５５及びＬ字金具７５はいずれも、楽器本体幅方向の長さが、後述するＬ字状止め具５６、７６に干渉しない程度において十分な長さに設定される。なお、図３では、Ｌ字金具５５の図示が省略されている。
【００２２】
図５に示すように、上段ユニット５０の上段プレート５１上、及び下段ユニット７０の上段プレート５１上にはそれぞれ、楽音発生等のための各種電子部品が集中的に搭載されている。例えば、上段プレート５１上には、保持具６０と基板保持台５９に基板６１が支持され、保持具６０の切り起こし部にトランジスタ群６２や櫛歯状の放熱部６３が設けられる。また、これらの後方には、トランス６４が配設される。また、下段ユニット７０の上段プレート７１上には、基板保持具８０を介して第１基板８１及び第２基板８２が配設されている（図３も参照）。第１基板８１には、多種の電子部品が配設されるが（個々は図示せず）、その上限位置８１ａは上段プレート５１に干渉しない程度に設定される。第２基板８２も同様である。なお、本実施の形態では基板保持具８０には左右２つの基板８１、８２を配設したが、保守・点検の便宜の観点からは、これに限るものでなく、３つ以上の複数の基板に分けて配設してもよい。
【００２３】
図１、図３、図５に示すように、下段ユニット７０の前板７２の上縁部には、楽器本体幅方向中央部において段差が設けられ、これによって、指が入る程度の幅を有する間隙部６６が形成される（図１参照）。間隙部６６に指を挿入したとき、上段ユニット５０の前板５２の下縁部は手掛け部５８として機能し、上段ユニット５０を前方に引き出すことができるようになっている。一方、図５に示すように、底板８５の前部は指が入る程度に開口しており（開口部８５ａ）、開口部８５ａに指を挿入したとき、下段ユニット７０の前板７２の下縁部は手掛け部７８として機能し、下段ユニット７０を前方に引き出すことができるようになっている。
【００２４】
左側のスピーカボックス４０Ｌの右側板４５Ｌの電子部品ボックスＥＣＢ側の面４５Ｌａには、上側ユニット５０用に上ガイド部材５３Ｌ及び下ガイド部材５４Ｌ（移動ガイド部）が設けられると共に、下側ユニット７０用に上ガイド部材７３Ｌ及び下ガイド部材７４Ｌ（移動ガイド部）が設けられている。各ガイド部材５３Ｌ、５４Ｌ、７３Ｌ、７４Ｌは、いずれも断面矩形の棒状に形成され、楽器本体前後方向に沿って略水平に右側板４５Ｌに固着されている。
【００２５】
右側のスピーカボックス４０Ｒの左側板４５Ｒの電子部品ボックスＥＣＢ側の面４５Ｒａにも、上ガイド部材５３Ｌ、下ガイド部材５４Ｌ、上ガイド部材７３Ｌ及び下ガイド部材７４Ｌと同様の構成の上ガイド部材５３Ｒ、下ガイド部材５４Ｒ、上ガイド部材７３Ｒ及び下ガイド部材７４Ｒが対称位置に設けられている（図３参照）。
【００２６】
上ガイド部材５３Ｌと下ガイド部材５４Ｌとの間隔は、上段プレート５１の上下方向の厚みより大きく設定されており、上段プレート５１がガイド部材５３（Ｌ、Ｒ）、５４（Ｌ、Ｒ）間に遊嵌された状態となっている。上ガイド部材５３（Ｌ、Ｒ）は、演奏を行える楽器使用時（図４、図５に示す状態）には、上段プレート５１が下ガイド部材５４（Ｌ、Ｒ）の上面５４Ｌａ（Ｒａ）に当接して下ガイド部材５４（Ｌ、Ｒ）によって支持される。上ガイド部材７３Ｌ及び下ガイド部材７４Ｌもこれと同様に構成され、楽器使用時には、上段プレート７１が下ガイド部材７４（Ｌ、Ｒ）の上面７４Ｌａ（Ｒａ）に当接して下ガイド部材７４（Ｌ、Ｒ）によって支持される。
【００２７】
このほか、下ガイド部材５４（Ｌ、Ｒ）は、上段ユニット５０を出し入れする際に上段プレート５１と摺接し、上段プレート５１を案内する役割を果たす。一方、上ガイド部材５３（Ｌ、Ｒ）は、上段ユニット５０を電子部品ボックスＥＣＢに取り付ける際、上段プレート５１が脱落することなく下ガイド部材５４上に円滑に載りやすいように、補助的な案内の役割を果たす。従って、上、下ガイド部材５３（Ｌ、Ｒ）、５４（Ｌ、Ｒ）は上段ユニット５０の円滑な出し入れを協同して実現する。これと同様に、上、下ガイド部材７３（Ｌ、Ｒ）、７４（Ｌ、Ｒ）は、下段ユニット７０の円滑な出し入れを協同して実現する。なお、上、下段プレート５１、７１に搭載される電子部品は、上、下段ユニット５０、７０の出し入れの際にガイド部材５３、７３に干渉しないように配設されることはいうまでもない。
【００２８】
図４、図５に示すように、左側のスピーカボックス４０Ｌの右側板４５Ｌの電子部品ボックスＥＣＢ側の面４５Ｌａには、前部においてＬ字状止め具５６Ｌ（２個）、７６Ｌがネジ止めにより取り付けられている。右側のスピーカボックス４０Ｒの左側板４５Ｒの電子部品ボックスＥＣＢ側の面４５Ｒａにおける対称位置にも、Ｌ字状止め具５６Ｒ（２個）、７６Ｒが取り付けられている（図示せず）。上段ユニット５０は、前板５２がネジ５７（Ｌ、Ｒ）によりＬ字状止め具５６（Ｌ、Ｒ）に取り付けられることで、電子部品ボックスＥＣＢに対して固定された状態となる。同様に、下段ユニット７０は、前板７２がネジ７７（Ｌ、Ｒ）によりＬ字状止め具７６（Ｌ、Ｒ）に取り付けられることで、電子部品ボックスＥＣＢに対して固定された状態となる。さらに、電子部品ボックスＥＣＢ及びスピーカボックス４０（４０Ｌ、４０Ｒ）の前面を覆うように、カバー８６が取り付けられ、本楽器の演奏は、この状態で行われる。なお、図３では、Ｌ字状止め具５６、７６、ネジ５７、７７の図示が省略されている。
【００２９】
なお、図示はしないが、電子部品ボックスＥＣＢの上部の適所には、鍵盤部１０とを繋ぐ配線用の穴が設けられ、下部の適所には、電源コードや制御ペダルボックス３２に繋がる制御線用の穴が設けられている。
【００３０】
電子部品ボックスＥＣＢの組み付けは次のようにしてなされる。
【００３１】
まず、スピーカボックス４０Ｌ、４０Ｒ間に、電子部品ボックスＥＣＢの筐体（天板８３、背面板８４、底板８５等）を構成すると共に、ガイド部材５３、５４、７３、７４、及びＬ字状止め具５６、７６をスピーカボックス４０の両側板４５に固着する。一方、上段プレート５１と前板５２とをＬ字金具５５で連結すると共に、上段プレート５１に電子部品を搭載して、上段ユニット５０を製造する。下段ユニット７０も同様に製造する。
【００３２】
次に、上段ユニット５０を電子部品ボックスＥＣＢの筐体内に入れる。すなわち、上段プレート５１を下ガイド部材５４Ｌの上面５４Ｌａに載せ、上ガイド部材５３Ｌ及び下ガイド部材５４Ｌの間隙に上段プレート５１を挿入する。そして、上段ユニット５０を後方に押すと、上段プレート５１が下ガイド部材５４Ｌ上をスライド移動し、前板５２がＬ字状止め具５６に当接したところで上段ユニット５０が止まる。その後、ネジ５７で前板５２をＬ字状止め具５６に止めることで、上段ユニット５０の組み付けが容易に完了する。
【００３３】
下段ユニット７０についてもこれと全く同様に組み付けされる。最後に、カバー８６を取り付ける。なお、カバー８６には、固定穴４３及びマジックテープ４４に対応する不図示の突起部及びマジックテープが設けられており、これらによってカバー８６が固定される、その際、固定穴４３と突起部とで位置決めがなされる。この状態で、楽器使用、すなわち演奏が行われる。
【００３４】
次に、上段ユニット５０に搭載された電子部品の保守・点検をする際は、カバー８６を取り外し、ネジ５７を外して、間隙部６６に指を挿入して手掛け部５８を持って前方に引くと、上段プレート５１が下ガイド部材５４にガイドされて上段ユニット５０が前方に引き出される。そして、目的とする電子部品を上段プレート５１上に探し、交換等の作業を行った後、再び上記組み付けと同様の手順で上段ユニット５０を組み付ければよい。なお、上段ユニット５０を半分程度引き出した状態では、上ガイド部材５３の存在により、上ガイド部材５３と下ガイド部材５４との間に上段プレート５１が保持され、上段ユニット５０が簡単には脱落しない。従って、この半出し状態で電子部品の状態の確認や目的とする電子部品の探索を行うことができ、便利である。下段ユニット７０に搭載された電子部品の保守・点検についても同様に行うことができる。
【００３５】
本実施の形態によれば、楽音発生等のための電子部品を上段ユニット５０に集中的に搭載し、上段プレート５１が下ガイド部材５４にガイドされて電子部品ボックスＥＣＢに対して出し入れ可能に構成したので、例えば、電子部品を組み付ける際は、上段ユニット５０を下ガイド部材５４によるガイドによって電子部品ボックスＥＣＢ内、すなわち楽器本体内側方向に入れることで、組み付けが簡単に行える。また、上段ユニット５０を電子部品ボックスＥＣＢ内に入れきった状態では、下ガイド部材５４により支持によって上段ユニット５０が棚板１１下方において収納保持されるので、楽器の使用（演奏）が支障なく行えると共に、楽器全体としてコンパクトにすることができる。さらに、電子部品の保守・点検の際は、上段ユニット５０ごと、下ガイド部材５４によるガイドによって電子部品ボックスＥＣＢの外側、すなわち楽器本体外側方向に引き出すことで、目的とする電子部品を容易に探し、必要な交換作業等を行った上で、再度、上段ユニット５０ごと、下ガイド部材５４によるガイドによって楽器本体内側方向に入れればよいので、カバー類や他の部品を多数取り外す等の作業から解放され、迅速な保守・点検が行える。よって、電子部品の組み付け、保守・点検を容易にすることができる。
【００３６】
また、上ガイド部材５３の補助的なガイド機能によって、上段プレート５１を抜き差しする際に円滑な作業が可能になるだけでなく、上段ユニット５０を半分程度引き出した状態でも、搭載された電子部品を観察しやすくなるので、使い勝手が向上する。
【００３７】
これらの効果は、下段ユニット７０についても同様である。なお、本実施の形態では、ユニットを２段（上段ユニット５０、下段ユニット７０）として構成したが、１段でもよく、また、目的とする部品へのアクセスを容易にする観点からは、３段以上の複数段にしてもよい。特に、各部品が担当する機能に分類して各段ユニットに配設することで、電子部品の配置がわかりやすくなり、保守・点検が一層容易になる。
【００３８】
また、同一段ユニットにおいても、例えば、下段ユニット７０において第１基板８１及び第２基板８２と２つの基板に分けて配設したように、多数の基板に分けて配設してもよい。これにより、交換は故障等した基板だけ行えばよいので、保守・点検が容易であるという効果が一層大きくなる。
【００３９】
また、本実施の形態では、スピーカボックス４０Ｌ、４０Ｒの両側板４５Ｌ、４５Ｒが、電子部品ボックスＥＣＢの構成要素の一部を兼ねるので、構成をより簡単にすることができる。
【００４０】
なお、本実施の形態では、電子部品ボックスＥＣＢは、ペダル支柱３１の前方に配設され、上段ユニット５０が前方（演奏者側）に水平に引き出せるように構成したが、これに限るものでなく、例えば、上段ユニット５０が電子部品ボックスＥＣＢから下方に引き出し可能に構成してもよい。すなわち、上段ユニット５０は、組み付けや保守・点検が容易にできるような態様で、楽器本体外側方向及び楽器本体内側方向に出し入れ可能に構成すれば、引き出す方向は問わない。
【００４１】
【発明の効果】
以上説明したように、本発明の請求項１に係る電子鍵盤楽器によれば、電子部品の組み付け、保守・点検を容易にすることができる。また、構成を簡単にすることができる。
【図面の簡単な説明】
【図１】  本発明の一実施の形態に係る電子鍵盤楽器の正面図である。
【図２】  本電子鍵盤楽器を右方からみた側面図である。
【図３】  電子部品ボックスＥＣＢ近傍の正面図である。
【図４】  図３のＡ−Ａ線に沿う部分縦断面図である。
【図５】  図３のＢ−Ｂ線に沿う部分縦断面図である。
【符号の説明】
１０  鍵盤部、  １１  棚板、  １１ａ  下面、  ３１  ペダル支柱、  ３２制御ペダルボックス、  ４０（Ｌ、Ｒ）  スピーカボックス、  ４５Ｌ  右側板（支持部材）、  ４５Ｒ  左側板（支持部材）、  ５０  上段ユニット（部品保持棚）、  ５１  上段プレート、  ５２  前板、  ５３  上ガイド部材、  ５４（Ｌ、Ｒ）  下ガイド部材（移動ガイド部）、  ７０  下段ユニット（部品保持棚）、  ７１  上段プレート、  ７２  前板、  ７３（Ｌ、Ｒ）  上ガイド部材、  ７４（Ｌ、Ｒ）  下ガイド部材（移動ガイド部）、  ８３  天板、  ８４背面板、  ８５  底板、  ８６  カバー、  ＥＣＢ  電子部品ボックス
【図１】
0003680743.tif 000002
【図２】
0003680743.tif 000003
【図３】
0003680743.tif 000004
【図４】
0003680743.tif 000005
【図５】
0003680743.tif 000006